(57)【特許請求の範囲】
【請求項１】
吐出装置を備えた容器に収容され、口腔内の舌上またはその周辺に前記吐出装置から非接触的に直接射出されることにより経口投与される内服用の液体医薬製剤であって、前記吐出装置が、液体医薬製剤の噴出口を閉塞させるように弾性力で付勢され、液体医薬製剤の吐出時に弾性力に抗して移動することにより当該噴出口を開状態とする、弁部材を備える吐出装置であり、射出時の液滴の粒子径が１００〜５５００μｍであり、有効成分として、鎮咳薬、去痰薬、消炎薬、解熱鎮痛薬、抗ヒスタミン薬、殺菌剤、胃粘膜保護剤、神経興奮薬、抗プラスミン薬、催眠鎮静薬、血液循環改善薬、止血薬、鎮暈薬、鎮痛鎮痙剤、健胃薬、消化薬、整腸生菌成分、止瀉薬、便秘治療剤、循環器官用剤、漢方薬および生薬成分から選択される１種以上を含み、１回の服用量が０．５〜５ｍＬである、前記液体医薬製剤。
【請求項２】
吐出装置がポンプを備え、当該ポンプが容器内に垂設したシリンダと、下端部に筒状ピストンを有し上方付勢させて前記シリンダ内から起立させたステムを含んでなり、前記ステムの押し下げにより前記ステム側の上方弁と前記シリンダ側の下方弁との間の内部空間に貯留されている液体の圧力が高まり、前記内容液が当該上方弁を通過してステム上方に設けた吐出部の噴出口から吐出され、前記ステムの上昇により前記容器内の液体を前記下方弁を通過して前記シリンダ内に吸い上げるように構成されている、請求項１に記載の液体医薬製剤。
【請求項３】
前記吐出装置が、上方付勢状態で押込み可能にステムを起立したポンプに装着する押下ヘッドを備え、当該押下ヘッドが、前記ステム上端部に嵌着させた装着筒を頂板下面より垂設するとともに、前記ステム内と連通する摺動筒を前記頂板上方へ立設してなる装着筒部材と、前記摺動筒外周に摺動下降可能に嵌合させたシリンダ上方に、先端に前記噴出口を開口した弁室を備えるとともに、前記装着筒部材に対して押し下げ可能にして設けた本体と、前記弁室内周に後部外周を摺動可能に嵌合させるとともに、前方付勢状態で前記噴出口を閉塞し、且つ、シリンダ内と連通する連絡口より前記噴出口に至る流路を画成してなる前記弁部材と、当該弁部材後端部に上端を連係させるとともに、下端部を前記頂板上面に当接係止させ、且つ、装着筒部材に対する本体の押下時に弁部材を後方へ引き出す如く揺動可能に本体に枢着した梃部材とを備える、請求項１または２に記載の液体医薬製剤。
【請求項４】
前記押下ヘッドが、前記ステムに対する本体の押下抗力がステム自体の押下抗力より小である、請求項３に記載の液体医薬製剤。
【請求項５】
前記押下ヘッドが、前記頂板両側に於いて上下に延びる係止板を延設してなる前記装着筒部材を備える、請求項３または４に記載の液体医薬製剤。
【請求項６】
容器口頸部と吐出装置の装着キャップの嵌合部が、嵌合部の内側層をなす前記容器口頸部の外周面に外歯を形成した第１のラチェットと、外側層を成す前記装着キャップの内周面に内歯を形成しかつ前記第１のラチェットと歯合する第２のラチェットを備え、前記第１のラチェットと前記第２のラチェットとが、前記容器口頸部と前記装着キャップの螺合をゆるめる方向の回転を防止するように構成されている、請求項１〜５のいずれか１項に記載の液体医薬製剤。
【請求項７】
射出量の変動が±１０％以下となる、請求項１〜６のいずれか１項に記載の液体医薬製剤。
【請求項８】
水性液体製剤である、請求項１〜７のいずれか１項に記載の液体医薬製剤。
【請求項９】
前記吐出装置による１度の射出による射出量が０．０３〜３ｍＬである、請求項１〜８のいずれか１項に記載の液体医薬製剤。
【請求項１０】
２５℃における粘度が０．８〜５００ｃＰである、請求項１〜９に記載の液体医薬製剤。
【請求項１１】
１日の服用量が、１．５〜１８ｍＬである、請求項１〜１０のいずれか１項に記載の液体医薬製剤。
【請求項１２】
１日に２回以上服用する、請求項１〜１１のいずれか１項に記載の液体医薬製剤。
【発明の詳細な説明】
【技術分野】
【０００１】
本発明は、吐出装置を備えた容器に収容される経口投与用の液体医薬製剤に関する。
【背景技術】
【０００２】
現在、種々の液体製剤が医薬品として上市され実際に販売されている。これらの液体製剤は、例えば、経口投与用の内服薬（例えば、特許文献１〜４）のほか、経鼻投与用の点鼻薬（例えば、特許文献５）および咽頭疾患用の外用薬（例えば、特許文献６）として用いられている。
【０００３】
経口投与用の液体医薬製剤は「内服液剤」や「シロップ剤」として市販されているが、液体であるため服用量が不正確となりやすく、服用時には計量のために計量カップが別途必要となる。また、液剤の計量および使用後のカップの洗浄は煩雑であり、患者にとっての負担となっている。
【０００４】
さらに、１日に複数回服用するために内服液剤を携行することが必要となる場合、携帯時の液剤漏出のおそれ、および計量カップの汚染による衛生上の問題が生じるおそれがある。
【特許文献１】特開平８−１９３０２３号公報
【特許文献２】特開平１０−２６５３６９号公報
【特許文献３】特開２０００−２７３０５０号公報
【特許文献４】特開２００３−２０６２４２号公報
【特許文献５】特開平１１−１７１７６２号公報
【特許文献６】特開平１０−２５９１２４号公報
【発明の開示】
【発明が解決しようとする課題】
【０００５】
本発明は、患者の負担を軽減するために服用時の煩雑さを軽減し、かつ安全な服薬を可能にする経口投与用の液体医薬製剤の提供を目的とする。
【課題を解決するための手段】
【０００６】
本発明者は、上記の課題解決のために鋭意研究を行い、本発明を完成させた。
本発明の１つの側面によれば、吐出装置を備えた容器に収容され、口腔内の舌上またはその周辺に前記吐出装置から非接触的に直接射出されることにより投与される経口投与用の液体医薬製剤であって、前記吐出装置が、液体医薬製剤の噴出口を閉塞させるように弾性力で付勢され、液体医薬製剤の吐出時に弾性力に抗して移動することにより当該噴出口を開状態とする、弁部材を備える吐出装置である、前記液体医薬製剤が提供される。
【０００７】
本発明の別の側面によれば、吐出装置がポンプを備え、当該ポンプが容器内に垂設したシリンダと、下端部に筒状ピストンを有し上方付勢させて前記シリンダ内から起立させたステムを含んでなり、前記ステムの押し下げにより前記ステム側の上方弁と前記シリンダ側の下方弁との間の内部空間に貯留されている液体の圧力が高まり、前記内容液が当該上方弁を通過してステム上方に設けた吐出部の噴出口から吐出され、前記ステムの上昇により前記容器内の液体を前記下方弁を通過して前記シリンダ内に吸い上げるように構成されている、既に定義した液体医薬製剤が提供される。
【０００８】
本発明の別の側面によれば、吐出装置を備えた容器に収容され、口腔内の舌上またはその周辺に前記吐出装置から非接触的に直接射出されることにより投与される経口投与用の液体医薬製剤であって、前記吐出装置が、上方付勢状態で押込み可能にステム２を起立したポンプに装着する押下ヘッドを備え、当該押下ヘッドが、ステム２上端部に嵌着させた装着筒８を頂板９下面より垂設するとともに、ステム２内と連通する摺動筒１０を頂板９上方へ立設してなる装着筒部材３と、上記摺動筒１０外周に摺動下降可能に嵌合させたシリンダ１６上方に、先端に噴出口２１を開口した弁室を備えるとともに、装着筒部材に対して押し下げ可能にして設けた本体４と、前記弁室内周に後部外周を摺動可能に嵌合させるとともに、前方付勢状態で噴出口２１を閉塞し、且つ、シリンダ内と連通する連絡口１９より噴出口２１に至る流路を画成してなる弁部材６と、弁部材６後端部に上端を連係させるとともに、下端部を上記頂板９上面に当接係止させ、且つ、装着筒部材に対する本体の押下時に弁部材を後方へ引き出す如く揺動可能に本体に枢着した梃部材７とを備える、既に定義した液体医薬製剤が提供される。
【０００９】
本発明における吐出装置の例としては、いわゆるトリガータイプの吐出装置、いわゆるプッシュポンプタイプの吐出装置などが挙げられ、例えば、特開２００２−３２６０５４号公報、特開２００１−１７１７６４号公報、特開２００４−３５９２４２号公報、特開２００４−３５９２４１号公報、特開２００４−３５９２３８号公報、特開２００４−３５２３４３号公報、特開２００４−３５２３３３号公報などに開示されている吐出装置を使用することができる。
【００１０】
本発明の１つの側面において、例えば、吐出装置は容器の口頸部に嵌合により装着され、当該嵌合が取り外し困難な様式で施されていてもよい。当該嵌合様式は、運搬時および携行時における容器の破損防止、本発明の液体医薬製剤の誤飲防止に寄与するものと考えられる。
【００１１】
当該側面の１つの態様として、容器口頸部と吐出装置の装着キャップの嵌合部は、嵌合部の内側層をなす前記容器口頸部の外周面に外歯を形成した第１のラチェットと、外側層を成す前記装着キャップの内周面に内歯を形成しかつ前記第１のラチェットと歯合する第２のラチェットを備え、前記第１のラチェットと前記第２のラチェットとが、前記容器口頸部と前記装着キャップの螺合をゆるめる方向の回転を防止するように構成された環状嵌合部であってもよい。すなわち、前記内歯と前記外歯とは、前記装着キャップと前記容器口頸部の螺合が締まる方向への回転は許容するが、ゆるむ方向への回転は許容しない形状をなしている。さらに、上記環状結合部においては、前記装着キャップと前記容器口頸部の螺合がゆるむ方向への回転力を受けたときに当接して押圧しあう側の歯面が、前記回転力と垂直な方向より歯先側が歯元側に比して前記回転力の方向（または逆の方向）に向かって前進した状態に傾斜していてもよい。
【００１２】
本発明における吐出装置の例としては、例えば、特開２００４−８３４に記載されている押下ヘッドを有する吐出装置が挙げられる（図４〜７を参照）。当該押下ヘッドは、上方付勢状態で押込み可能にステム２を起立したポンプに装着する押下ヘッドであって、ステム２上端部に嵌着させた装着筒８を頂板９下面より垂設するとともに、ステム２内と連通する摺動筒１０を頂板９上方へ立設してなる装着筒部材３と、上記摺動筒１０外周に摺動下降可能に嵌合させたシリンダ１６上方に、先端に噴出口２１を開口した弁室を備えるとともに、装着筒部材に対して押し下げ可能にして設けた本体４と、前記弁室内周に後部外周を摺動可能に嵌合させるとともに、前方付勢状態で噴出口２１を閉塞し、且つ、シリンダ内と連通する連絡口１９より噴出口２１に至る流路を画成してなる弁部材６と、弁部材６後端部に上端を連係させるとともに、下端部を上記頂板９上面に当接係止させ、且つ、装着筒部材に対する本体の押下時に弁部材を後方へ引き出す如く揺動可能に本体に枢着した梃部材７とを備える。当該押下ヘッドにおいては、コイルスプリング２６により前方付勢された弁部材６により梃部材７の垂直板部２８上部の連係部分を常時前方へ付勢させており、本体４の押し下げにより、装着筒部材３の頂板９が傾斜板部２９を押し上げて梃部材７を回動させ、コイルスプリング２６の前方付勢力に抗して弁材部６を後方に引きだされ、液剤の流路が確保される。本発明において、上記押下ヘッドを含む吐出装置を使用することは、薬液を外気と接触させないことのよる変質の防止、液だれによる衛生面および薬液の切れをよくすることによる薬液の定量性向上の観点から好ましい。
【００１３】
上記押下ヘッドの１つの態様において、ステム２に対する本体の押下抗力はステム自体の押下抗力より小となるように構成される。
本発明の１つの態様において、当該押下ヘッドは、上方付勢状態で押込み可能にステム２を起立したポンプに装着する押下ヘッドであって、ステム２上端部に嵌着させた装着筒８を頂板９下面より垂設するとともに、ステム２内と連通する摺動筒１０を頂板９上方へ立設し、且つ、頂板９両側に於いて上下に延びる係止板１２を延設してなる装着筒部材３と、上記摺動筒１０外周に摺動下降可能に嵌合させたシリンダ１６を、周壁１４ａ前部に前端を開口し且つ周囲にスペースをあけて突設した横筒１５下面より垂設するとともに、周壁１４ａ内面両側を回動不能且つ上下動可能に上記係止板外面に係合させた本体４と、上記横筒１５に嵌着させて先端に噴出口２１を開口させた筒状の噴出口部材５と、上記横筒１５の後壁１５ａ前面より突設したシール筒１８内周に後部外周を摺動可能に嵌合させるとともに、前方付勢状態で噴出口２１を閉塞し、且つ、シリンダ内と連通する連絡口１９より噴出口２１に至る流路を画成してなる弁部材６と、上記横筒後壁１５ａの窓孔１７を介してその後方へ突出した弁部材６後端部に上端を連係させるとともに、下端部を上記頂板９上面に当接係止させ、且つ、装着筒部材に対する本体の押下時に弁部材を後方へ引き出す如く揺動可能に本体に枢着した梃部材７とを備え、ステム２に対する本体の押下抗力がステム自体の押下抗力より小であることを特徴とする構成を有してもよい。これにより、ヘッドの押し下げが容易になるだけでなく、噴出口の開放後に薬液が射出され、口腔内の適切な部位への確実な射出を可能とする。
【００１４】
上記の押下ヘッドにおいて、カバー部１４を押し下げると、装着筒部材３に対して本体４が下降する。この際、梃部材７の下端部が装着筒部材３の頂板９上面に押し上げられて枢着軸３２を中心に回動し、その上端部が後方へ回動して弁部材６をコイルスプリング２６の弾発力に抗して後方へ移行させ、噴出口２１が開く。次いでステム２が下降し、該ステムの下降によりポンプ内の液がステム２よりシリンダ１６を通り、連絡口１９から流路を介して噴出口２１より外部へ噴出する。その際、流路となる弁部材と噴出口との間隔は、例えば０．１〜１ｍｍであり、噴出の際の薬液の流路の断面積は、例えば０．１〜３．５ｍｍ２であってもよい。吐出装置に関する既知の技術に基づけば、液剤の吐出量および流路の断面積を調節することができ、それにより吐出する薬液の流速や液滴の粒子径を制御することができる。
【００１５】
本発明の液体医薬製剤は、簡便かつ正確に計量された薬量を服用することができるという利点を有する液体製剤である。さらに、本発明の製剤は水などを必要とせずかつ安全に服用することができ、服用後に速やかに活性成分の吸収部位に送達され望まれる薬効を発現する。
【００１６】
本明細書における「舌上またはその周辺」には、例えば、歯列、歯肉、頬、および口腔底などが含まれ、当該個所に射出して服薬することにより、液体製剤の液滴の気管および肺への流入が防がれ、安全に経口投与をすることができる。好ましくは、本発明の液体医薬製剤は舌上に射出して投与される。
【００１７】
本発明の別の側面によれば、前記押下ヘッドが、ステム２に対する本体の押下抗力がステム自体の押下抗力より小である、既に定義した液体医薬製剤が提供される。
本発明の別の側面によれば、前記押下ヘッドが、頂板９両側に於いて上下に延びる係止板１２を延設してなる装着筒部材３を備える、請求項３または４に記載の液体医薬製剤が提供される。
【００１８】
本発明の液体医薬製剤の射出量の変動は、例えば±１５％以下、好ましくは±１３％以下、±１０％以下となる。これにより、液体医薬製剤に含まれる生理活性物質の適量を簡便に服用することができる。これは、噴出口を閉塞する弁部材による液だれが防止されることによるのみでなく、噴出口を閉塞する弁部材が弾性力で付勢されているために射出終了時の弁の閉塞のタイミングが一定となり、また付勢により薬液も押し出されることも定量性の向上に寄与すると考えられる。
【００１９】
本発明の液体医薬製剤は、医薬製剤の成分として使用可能な溶媒（例えば、水、エタノール、グリセリン、プロピレングリコール）を含む液体の医薬組成物であって、溶液、懸濁液、乳液または分散液であってもよい。本発明の上記側面の１つの態様として、本発明の液体医薬製剤は水性液体製剤であってもよく、例えば水溶液であってもよい。本発明に使用されうる水の例としては、例えば日本薬局方精製水などが使用され、製剤全体に対して、例えば１０〜９９重量％、好ましくは４５〜９８重量％の割合で含まれうる。
【００２０】
本発明において、１度の射出による吐出装置からの射出量は、例えば０．０３〜３ｍＬ、好ましくは０．１〜２ｍＬ、より好ましくは０．３〜１ｍＬである。また、射出時の液滴の粒子は、気管および肺への流入の防止の観点から一定以上の粒子径を有する方が好ましい。当該液滴の粒子径は、例えば１００〜５５００μｍ、好ましくは１００〜３６００μｍ、より好ましくは１００〜１６００μｍであってもよい。液滴の粒子径は吐出装置のノズルの選択または噴射口付近の液剤の流路に構成よって調整することができる。
【００２１】
本発明の液体医薬製剤の粘度は特に限定されないが、吐出装置からの投薬の定量性および投薬後の活性成分の吸収部位（小腸など）への速やかな送達の観点から、例えば０．８〜５００ｃＰ、好ましくは０．９〜１００ｃＰ、より好ましくは１．００〜５０．０ｃＰ、さらに好ましくは１．００〜２５ｃＰ、さらに好ましくは１．００〜２．５ｃＰである（デジタル粘度計ＤＶ−ＩＩ＋（ブルック  フィールド社製）を用い、２５℃の条件下でＵＬアダプターにて測定）。
【００２２】
本発明の液体医薬製剤に適用可能な有効成分は、経口投与用の液体医薬製剤であれば特に限定されない。本発明の１つの態様において、有効成分として、鎮咳薬、気管支拡張薬、去痰薬、消炎薬、解熱鎮痛薬、抗ヒスタミン薬、殺菌剤、カフェイン類、胃粘膜保護剤、神経興奮薬、抗プラスミン薬、催眠鎮静薬、血液循環改善薬、止血薬、鎮暈薬、鎮痛鎮痙剤、健胃薬、消化薬、整腸生菌成分、止瀉薬、便秘治療剤、ビタミン剤、滋養強壮薬、循環器官用剤、漢方薬および生薬成分から選択される１種以上を含む、既に定義した液体医薬製剤が提供される。本発明の別の態様において、有効成分として、リン酸コデイン、リン酸ジヒドロコデイン、臭化水素酸デキストロメトルファン、ｄｌ-塩酸メチルエフェドリン、グアイフェネシン、グアヤコールスルホン酸カリウム、塩化リゾチーム、マレイン酸クロルフェニラミン、および無水カフェインから選択される１種以上をさらに含む、既に定義された液体医薬製剤が提供される。
【００２３】
本発明の１つの側面によれば、吐出装置を備えた容器に収容され、有効成分としてリン酸コデインおよびリン酸ジヒドロコデインから選択される１以上を含有し、口腔内の舌上またはその周辺に前記吐出装置から非接触的に直接射出されることにより投与される経口投与用の液体医薬製剤であって、前記吐出装置が、液体医薬製剤の噴出口を閉塞させるように弾性力で付勢され、液体医薬製剤の吐出時に弾性力に抗して移動することにより当該噴出口を開状態とする、弁部材を備える吐出装置である、既に定義した液体医薬製剤が提供される。この側面において、本発明の液体医薬製剤は、例えば、追加の有効成分として、気管支拡張薬、去痰薬、消炎薬、解熱鎮痛薬、抗ヒスタミン薬、殺菌剤、カフェイン類、胃粘膜保護剤、生薬成分および鎮咳薬、ビタミン類から選択される１種以上の成分を含んでもよい。この側面の別の態様によれば、本発明の液体医薬製剤は、追加の有効成分として、ｄｌ−塩酸メチルエフェドリン、グアイフェネシン、グアヤコールスルホン酸カリウム、塩化リゾチーム、マレイン酸クロルフェニラミン、および無水カフェインから選択される１種以上をさらに含んでいてもよい。
【００２４】
本発明の別の側面によれば、１種以上の矯味剤または甘味剤を含む、既に定義した液体医薬製剤が提供される。この側面の１つの態様において、矯味剤または甘味剤は、アマチャ、還元麦芽糖水アメ、グリシン、グリチルリチン酸二カリウム、グリチルリチン酸二ナトリウム、グリチルリチン酸モノアンモニウム、果糖液糖、ブドウ糖水アメ、白糖球状顆粒、ハチミツ、単シロップ、乳糖、ブドウ糖、マルチトース、マルトース、マンニトール、水アメ、ソルビトール、カラメル、アスパルテーム、ステビアエキス、カンゾウ、カンゾウエキス、キシリトール、黒砂糖、液糖、果糖、果糖ブドウ糖液糖、サッカリン、サッカリンナトリウム、白糖、グリセリンから選択される１種以上であってもよい。
【００２５】
上記の甘味剤・矯味剤のうち、活性成分由来の不快な味のマスキング、および本製剤を長期に保存した場合の固形物の発生を防止する観点から、本発明に使用される甘味剤・矯味剤は、例えばアスパルテーム、サッカリンナトリウムから選択される１以上；ステビア、カラメル、カンゾウから選択される１以上；および糖アルコール（ソルビトール、マルチトース、マルトース、マンニトール、キシリトール）、グリセリンから選択される１以上の組み合わせであってもよい。
【００２６】
本発明において、鎮咳薬としては、例えば、リン酸コデイン、リン酸ジヒドロコデイン、ヒドロコドン、ヒドロモルホン、メサドン、モルヒネ、オキシメテバノール、塩酸アロクラミド、塩酸クロペラスチン、クエン酸ペントキシベリン、クエン酸チペピジン、ジブナートナトリウム、臭化水素酸デキストロメトルファン、デキストロメトルファンフェノールフタリン酸、ヒベンズ酸チペピジン、フェンジゾ酸クロペラスチン、ノスカピン、マオウ、ナンテンジツ、クロフェジアノール、レボプロポキシフェン、ホミノベン、オキセラジン、ペントキシベリン、ベンプロベリン、ジメモルファン、ジブナート、エプラジノン、カルベタペンタンおよびイソアミニルなどから選択される１種以上が使用されうる。好ましくは、鎮咳薬としては、リン酸コデイン、リン酸ジヒドロコデイン、塩酸アロクラミド、塩酸クロペラスチン、クエン酸ペントキシベリン、クエン酸チペピジン、ジブナートナトリウム、臭化水素酸デキストロメトルファン、デキストロメトルファンフェノールフタリン酸、ヒベンズ酸チペピジン、フェンジゾ酸クロペラスチン、ノスカピン、マオウおよびナンテンジツから選択される１種以上が使用されうる。
【００２７】
本発明において、気管支拡張薬としては、例えば、α−アドレナリン受容体刺激剤（例えば、フェニルプロパノールアミン、プソイドエフェドリン、フェニレフリン、ノルエピネフリン、メトキサミン、ナファゾリン、キシロメタゾリン、クロニジンなど）、β−アドレナリン受容体刺激剤（例えば、塩酸トリメトキノール、塩酸メトキシフェナミン、ｄｌ−塩酸メチルエフェドリン、チラミン、エフェドリン、メチルエフェドリンサッカリネート、アンフェタミン、メタンフェタミン、メトキシフェナミン、オルシプレナリン、クロルプレナリン、イソプロテレノール、ドパミン、ドブタミン、イソプレナリン、サルブタモール、テルブタリン、ヘキソプレナリン、ツロブテロール、フェノテロール、プロカテロール、ピルブテロール、クレンブテロール、マブテロール、ホルモテロール、サルメテロールなど）、キサンチン誘導体（例えば、アミノフィリン、ジプロフィリン、テオフィリン、プロキシフィリン、キサンチン、テオブロミン、ペントキシフィリンなど）またはその塩、抗コリン剤（例えば、ダツラエキス、ベラドンナアルカロイド、ベラドンナ総アルカロイド、ベラドンナエキス、ロートエキスなど）および副交感神経遮断剤（例えば、ヨウ化イソプロパミド、イプラトロピウム、フルトロピウム、オキシトロピウムなど）などから選択される１種以上の成分が使用されうる。好ましくは、気管支拡張薬としては、β−アドレナリン受容体刺激薬（例えば、塩酸トリメトキノール、塩酸メトキシフェナミン、塩酸メチルエフェドリン）およびキサンチン誘導体（例えば、アミノフィリン、ジプロフィリン、テオフィリン、プロキシフィリン）から選択される１種以上が使用されうる。
【００２８】
本発明において、去痰薬としては、例えば、塩化アンモニウム、ｌ−メントール、アンモニア・ウイキョウ精、塩化リゾチーム、塩酸エチルシステイン、塩酸メチルシステイン、グアヤコールスルホン酸カリウム、グアイフェネシン、クレゾールスルホン酸カリウム、塩酸ブロムヘキシン、塩酸アンブロキソール、Ｌ−カルボシステインおよびフドステインなどから選択される１種以上が使用されうる。好ましくは、去痰薬としては、塩化アンモニウム、ｌ−メントール、アンモニア・ウイキョウ精、塩化リゾチーム、塩酸エチルシステイン、塩酸メチルシステイン、グアヤコールスルホン酸カリウム、グアイフェネシンおよびクレゾールスルホン酸カリウムなどから選択される１種以上が使用されうる。
【００２９】
本発明において、消炎薬としては、塩化リゾチーム、グリチルリチン酸、グリチルリチン酸二カリウム、アズレンスルホン酸ナトリウムなどから選択される１種以上が使用されうる。
【００３０】
本発明において、解熱鎮痛薬としては、例えば、アセトアミノフェン、イブプロフェン、アスピリン、エテンザミドなどから選択される１種以上が使用されうる。
本発明において、抗ヒスタミン薬としては、例えば、塩酸イソチペンジル、塩酸イプロヘプチン、塩酸ジフェテロール、塩酸ジフェニルピラリン、塩酸ジフェンヒドラミン、塩酸トリプロリジン、塩酸トリペレナミン、塩酸トンジルアミン、塩酸フェネタジン、塩酸プロメタジン、サリチル酸ジフェンヒドラミン、ジフェニルジスルホン酸カルビノキサミン、酒石酸アリメマジン、タンニン酸ジフェンヒドラミン、タンニン酸フェネタジン、テオクル酸ジフェニルピラリン、プロメタジンメチレンジサリチル酸塩、マレイン酸カルビノキサミン、ｄｌ−マレイン酸クロルフェニラミン、ｄ−マレイン酸クロルフェニラミンおよびリン酸ジフェテロールなどから選択される１種以上が使用されうる。
【００３１】
本発明において、殺菌剤としては、例えば、塩化セチルピリジウム、塩化デカリニウムおよび塩酸クロルヘキシジンなどの局所殺菌剤などから選択される１種以上が使用されうる。
【００３２】
本発明において、カフェイン類としては、例えば、安息香酸ナトリウムカフェイン、カフェインおよび無水カフェインなどから選択される１種以上が使用されうる。
本発明において、胃粘膜保護剤としては、例えば、アミノ酢酸、ケイ酸マグネシウム、合成ケイ酸アルミニウム、合成ヒドロタルサイト、酸化マグネシウム、ジヒドロキシアルミニウム・アミノ酢酸塩、水酸化アルミニウムゲル、乾燥水酸化アルミニウムゲル、水酸化アルミニウム・炭酸マグネシウム混合乾燥ゲル、水酸化アルミニウム・炭酸水素ナトリウムの共沈生成物、水酸化アルミニウム・炭酸カルシウム・炭酸マグネシウムの共沈生成物、水酸化マグネシウム・硫酸アルミニウムカリウムの共沈生成物、炭酸マグネシウムおよびメタケイ酸アルミン酸マグネシウムなどから選択される１種以上が使用されうる。
【００３３】
本発明において、神経興奮薬としては、例えば、カフェイン、無水カフェイン、安息香酸カフェインなどから選択される１種以上が使用されうる。
本発明において、抗プラスミン薬としては、例えば、トラネキサム酸、アミノカプロン酸などから選択される１種以上が使用されうる。
【００３４】
本発明において、催眠鎮静薬としては、例えば、ブロムワレリル尿素、アリルイソプロピルアセチル尿素、塩酸ジフェンヒドラミンなどから選択される１種以上が使用されうる。
【００３５】
本発明において、血液循環改善薬としては、例えば、イノシトールヘキサニコチネートなどから選択される１種以上が使用されうる。
本発明において、止血薬としては、例えば、トラネキサム酸、カルバゾクロムスルホン酸ナトリウムなどから選択される１種以上が使用されうる。
【００３６】
本発明において、鎮暈薬としては、例えば、塩酸ジフェニドール、臭化水素酸スコポラミンなどから選択される１種以上が使用されうる。
本発明において、鎮痛鎮痙剤としては、例えば、アミノ安息香酸エチル、臭化メチルベナクチジウム、臭化ブチルスコポラミン、ロートエキスなどから選択される１種以上が使用されうる。
【００３７】
本発明において、健胃薬としては、例えば、ケイヒ、オウバク、ショウキョウ、センブリなどから選択される１種以上が使用されうる。
本発明において、消化薬としては、例えば、ウルソデスオキシコール酸、脂肪消化酵素、でんぷん消化酵素などから選択される１種以上が使用されうる。
【００３８】
本発明において、整腸生菌成分としては、例えば、乳酸菌末、ビフィズス菌、酪酸菌末などから選択される１種以上が使用されうる。
本発明において、止瀉薬としては、例えば、塩酸ロペラミド、タンニン酸アルブミン、次没食子酸ビスマスなどから選択される１種以上が使用されうる。
【００３９】
本発明において、便秘治療薬としては、例えば、センノシド、センナ、ダイオウ、プランタゴ・オバタ種子などから選択される１種以上が使用されうる。
本発明において、ビタミン剤としては、例えば、酢酸トコフェロール、アスコルビン酸、チアミン、ピリドキシン、シアノコバラミンなどから選択される１種以上が使用されうる。
【００４０】
本発明において、滋養強壮薬としては、例えば、タウリン、パントテン酸カルシウム、ニコチン酸アミドなどから選択される１種以上が使用されうる。
本発明において、循環器官用剤としては、例えば、ユビデカレノン、ニンジン、リュウノウなどから選択される１種以上が使用されうる。
【００４１】
本発明において、漢方薬としては、例えば、葛根湯、駆風解毒湯液などから選択される１種以上が使用されうる。
本発明において、生薬成分としては、例えば、ジリュウ、サンソウニン、オウヒ、オンジ、カンゾウ、キキョウ、キョウニン、シャゼンシ、シャゼンソウ、セキサン、セネガ、トコン、バイモ、アセンヤク、ウイキョウ、オウゴン、カロニン、ケイヒ、ゴオウ、ゴミン、サイシン、シオン、ジャコウ、シャジン、ショウキョウ、ソウハクヒ、ソヨウ、チクセツニンジン、チンピ、ニンジン、バクモンドウおよびハンゲなどから選択される１種以上が使用されうる。
【００４２】
本発明の液体医薬製剤における有効成分の組み合わせの例としては、以下のものが挙げられる：
リン酸ジヒドロコデインおよびグアヤコールスルホン酸カリウム；
リン酸ジヒドロコデイン、グアイフェネシンおよびマレイン酸クロルフェニラミン；
リン酸コデイン、ｄｌ−塩酸メチルエフェドリンおよびマレイン酸クロルフェニラミン；
臭化水素酸デキストロメトルファン、グアイフェネシンおよびマレイン酸クロルフェニラミン；
リン酸ジヒドロコデインおよびグアヤコールスルホン酸カリウム；
リン酸ジヒドロコデイン、グアイフェネシンおよびマレイン酸クロルフェニラミン；
リン酸コデイン、ｄｌ−塩酸メチルエフェドリンおよびマレイン酸クロルフェニラミン；ならびに
臭化水素酸デキストロメトルファン、グアイフェネシンおよびマレイン酸クロルフェニラミン。
【００４３】
本発明の液体製剤は、経口投与用の医薬として使用され、例えば、総合感冒薬、咳止め、鼻炎用内服薬、解熱鎮痛薬、胃腸薬、止瀉薬、乗り物酔い予防薬もしくは緩和薬などとして使用することができる。例えば、本発明を総合感冒薬として使用する場合の有効成分の処方例を以下の表１に示す。表１に示される有効成分は、適宜選択される溶媒中の溶液として使用されうる。
【００４４】
【表１】
0005155524.tif 000002
【００４５】
すなわち、本発明の１つの側面によれば、有効成分として、上記表１に示す成分を含む、既に定義された液体医薬製剤が提供される。
【００４６】
本発明の液体医薬組成物は、任意成分として、矯味剤、甘味剤、防腐剤、矯臭剤、希釈剤、可溶化剤、ｐＨ調整剤、粘度調整剤、着色剤、安定化剤、界面活性剤、懸濁剤、抗酸化剤、清涼化剤、着香剤、香料などの添加剤を含んでいてもよい。
【００４７】
本発明の１つの態様において、１種以上の矯味剤または甘味剤を含む既に定義した液体医薬製剤が提供される。本発明で使用される矯味剤および甘味剤は、特に限定されず、例えば医薬製剤において通常使用される矯味剤および甘味剤を使用することができる。矯味剤および甘味剤の具体例としては、果糖ブドウ糖液糖、白糖、カラメル、アスパルテーム、ネオテーム、ステビアエキス、カンゾウエキス、黒砂糖、サッカリンナトリウム、ソルビトール、および糖アルコール（例えば、マンニトール、キシロース、キシリトール、エリトリトール、マルチトールおよびラクチトール）およびグリセリンなどが挙げられる。好ましくは、アスパルテーム、ネオテーム、ステビアエキス、カンゾウエキス、黒砂糖、サッカリンナトリウム、カラメルおよびソルビトールから選択される１種以上、好ましくは２種以上が矯味剤または甘味剤として使用されうる。本発明の液体医薬製剤に含まれる甘味剤および矯味剤の配合量は、例えば２〜９５重量％、好ましくは２〜５０重量％、より好ましくは２〜２３重量％である。
【００４８】
本発明の液体製剤における１日の服用量は、特に限定されず、液体製剤中に含まれる有効成分の日用量などに応じて適宜決定されうる。１日の投与回数および投与時の便宜性の観点から、１日の服用量は、例えば１．５〜１８ｍＬ、好ましくは３．０〜１５ｍＬ、さらに好ましくは６．０〜９ｍＬであってもよい。
【００４９】
本発明の液体製剤における１回の服用量は、特に限定されず、液体製剤中に含まれる有効成分の日用量、１日の服用回数などに応じて適宜決定されうる。１日の投与回数および服用時の安全性の観点から、例えば０．５〜５ｍＬ、好ましくは０．７５〜３ｍＬ、さらに好ましくは１．０〜２ｍＬであってもよい。本発明によれば、摂取が安全かつ確実に行われるため、通常の経口用液体医薬製剤に比べて少量の服用にて必要な有効成分量を摂取することができる。
【００５０】
本発明の液体医薬製剤は、服用時の煩雑さを解消し、頻回投与における患者の負担を軽減するという効果を有することから、本発明は１日の服用回数が２回以上である薬剤に適している。本発明の液体医薬製剤の服用回数は、例えば１日１回〜６回、好ましくは４回〜６回であってもよい。
【００５１】
本発明に用いられる容器は、通常、液体医薬製剤用の容器として使用されるものであれば特に限定されず、例えば、褐色の遮光ガラス容器などが使用されうる。
【実施例】
【００５２】
以下、本発明の好適な実施例についてさらに詳細に説明するが、本発明はこれらの実施例に限定されるものではない。なお、以下に示すパーセントの値は、特に言及がなければ重量パーセントを表すものとする。
【００５３】
実施例１〜８
以下の表２に示す処方に従って、咳止め内服液としての有効成分を含む実施例１〜８の液剤を調製した。表中の数値はｇを表す。各処方の全体量はすべて１００ｍＬであり、残部として蒸留水を使用した。得られた液剤を吐出装置（ＳＰ５００ＬＲシャットオフノズル、株式会社吉野工業所より購入）付き容器に充填し、噴射量および噴射時の粒子径を測定した。なお、噴射時の粒子径の測定は、粒度分布測定器  ＬＤＳＡ−２４００型（東日コンピューターアプリケーションズ株式会社製）を用い、噴射口から約１０ｃｍの距離における粒径分布を測定した。
【００５４】
さらに各液剤の粘度は、デジタル粘度計ＤＶ−ＩＩ＋（ブルック  フィールド社製）を用い、２５℃の条件下でＵＬアダプターにて粘度を測定した。
【００５５】
【表２】
0005155524.tif 000003
【００５６】
実施例９
下記の処方に基づき液体医薬製剤を調製し、プッシュポンプ型吐出装置付きの容器（噴出口の開閉弁付き、ＳＰ５００ＬＲシャットオフノズル、株式会社吉野工業所より購入）に充填した。
【００５７】
リン酸ジヒドロコデイン                    ２８０ｍｇ
グアヤコールスルホン酸カリウム          ２５００ｍｇ
アスパルテーム                            １８０ｍｇ
グリセリン                                  １６ｇ
プロピレングリコール                      ４８０ｍｇ
カラメル                                  ３３０ｍｇ
カンゾウエキス                            １５０ｍｇ
ステビア                                  １７０ｍｇ
Ｄ−ソルビトール                          ２０００ｍｇ
安息香酸ナトリウム                        １４０ｍｇ
防腐剤                                    適量
ｐＨ調整剤                                適量
香料                                      適量
精製水                                    残量
合計                                      １００ｍＬ
当該製剤を加速試験条件（温度４０±１℃、湿度７５±５％ＲＨ）にて１ヶ月間保存し、保存前と保存後の吐出量を測定し比較した（ｎ＝６）。なお、吐出量は１回当たりに吐出される薬液量（ｇ）を測定し、薬液の比重（１．０５）から吐出された薬液の体積（ｍＬ）を換算した。結果を表３に示す。
【００５８】
【表３】
0005155524.tif 000004
【００５９】
保存後の１回目の吐出については吐出量の減少が確認されたが、その後の吐出については特に影響が認められず、３回の吐出の合計量は規定量の１．５ｍＬ±１０％の範囲内であることが確認された。
【００６０】
試験例１
Ｄｒｕｇｓ  Ｅｘｐ  Ｃｌｉｎ  Ｒｅｓ  ＪＮ、ｖｏｌ．１８  Ｎｏ．７  ｐ３０３−３０９（１９９２）を参考として以下の試験を行った。非喫煙者の男性健常人の中から３重量％以下のクエン酸水溶液をジェット式ネブライザー（ＮＥ−Ｃ１６、オムロン社製）で吸入したとき１０回以上の咳を惹起できる人を選抜し、２群に分け、本試験の被検者とした（各群ｎ＝６）。シャットオフノズルを備える吐出装置付き容器に実施例９の処方の液体医薬製剤を充填し、１．５ｍL（３プッシュ分）を、一方の群の被験者の舌上またはその周辺部分に射出することにより投与した。他方の群の被験者には同様の方法により生理食塩水を投与した。投与から３０分後にジェット式ネブライザーを用い、クエン酸水溶液により被験者に咳を惹起させ、その咳の回数をカウントした（４５秒間）。結果を図１に示す。実施例９の薬液を投与した群において、咳回数の有意な減少が確認され、舌上およびその周辺部分における液体医薬製剤の射出により望まれる薬効が速やかに（約３０分）発現することが確認された。
【００６１】
試験例２
モルモットＨａｒｔｌｅｙ系オス（５週齢）を１週間馴化後に試験に使用した。モルモットを２群（ｎ＝6）に分け、一方の群には実施例９の薬液を胃ゾンデにより投与し、もう一方を対照群として生理食塩水を投与した。被験物質投与３０分後、モルモットをボディーホルダー内にいれ、Ｋｏｈｒｏｇｉらの方法「Ｊ．Ｃｌｉｎ．Ｉｎｖｅｓｔ．第８２巻、第２０６３〜２０６８頁（１９８８）」に従い、容器の前面から超音波ネブライザーを用いて０．３ｍｏｌ／Ｌのクエン酸を１５分間噴霧し、咳を惹起させた。その１５分間のボディーホルダー内の内圧の変化を咳曲線としてレコーダー上に記録し、咳回数をカウントした（１５分間）。結果を図２に示す。実施例９の薬液を投与した群において、咳回数の有意な減少が確認され、本発明に係る医薬組成物の生体内での吸収部位が胃以降の消化管であることが確認された。
【図面の簡単な説明】
【００６２】
【図１】本発明の薬剤の咳止め内服液としての薬効を確認するための試験結果の一例を示すグラフである。
【図２】本発明の薬剤の咳止め内服液としての薬効を確認するための試験結果の一例を示すグラフである。
【図３】本発明に使用する容器口頸部と吐出装置の装着キャップの嵌合部（螺合部）の取り外し防止構造を示す横断面図である。
【図４】本発明の医薬組成物に使用する吐出装置に使用する押下ヘッドの１例を示す縦断面図である。
【図５】図４のＡ−Ａ線に沿う縦断面図である。
【図６】図４のＢ−Ｂ線に沿う横断面図である。
【図７】上記押下ヘッドに使用される梃部材の斜視図である。
【図８】本発明の医薬組成物に使用する吐出装置の押下ヘッドの別の例を示す縦断面図である。
【図９】図８の縦断面図である。
【符号の説明】
【００６３】
１：押下ヘッド，２：ステム，３：装着筒部材，４：本体，５，５Ａ：噴出口部材，６：弁部材，７：梃部材，８：装着筒，９：頂板，１０：摺動筒，１１：案内筒，１２：係止板，１３：係合凹溝，１４：カバー部，１４ａ：周壁，１４ａ：頂壁，１５：横筒，１５ａ：後壁，１６：シリンダ，１７：窓孔，１８：シール筒，１９：連絡口，２０：係合突条，２１：噴出口，２２：環状突起，２３：リブ，２４：スカート状部，２５：逆スカート状部，２６：横筒１５の後壁１５ａ前面とスカート状部２４の分岐部分とに介在させ弁部材６を前方付勢するコイルスプリング，２７：梃部材係合用の環状凹部，２８：垂直板部，２９：二股の傾斜板部，３０：垂直板部２８の上端部中央に設けた切欠部，３１：垂直板部２８後面上端部に正面視矩形状の凹部，３２：屈折部分両側に突設した枢着軸，３３：取付板３４の下面後部より所定間隔をあけて一対垂設した軸受，３４：横筒１５直下に嵌着させた取付板，３６：周壁１４ａ内周に突設した係止突起３６，３７：シール部，３８：連絡孔，３９：大外径部，４０：小外径部，４１：横筒後壁１５ａ前面より突設した嵌合筒，１０１：嵌合取り外し防止構造，１０２：容器口頸部，１０３：装着キャップ，１０４：外歯，１０５：内歯，１０６：面
【図１】
0005155524.tif 000005
【図２】
0005155524.tif 000006
【図３】
0005155524.tif 000007
【図４】
0005155524.tif 000008
【図５】
0005155524.tif 000009
【図６】
0005155524.tif 000010
【図７】
0005155524.tif 000011
【図８】
0005155524.tif 000012
【図９】
0005155524.tif 000013